(57)【要約】【課題】音響機器において、スピーカから発せられた音響が、簡単な構成で確実に、共振を減衰し、そのまま聴者に伝達されることを目的とする。【解決手段】第一部材と第二部材とをネジ部材により螺締してなる音響機器の制振材とした。【選択図】  図１０
2005045422.tif 000002
【特許請求の範囲】
【請求項１】
第一部材と第二部材とをネジ部材により螺締してなる音響機器の制振材。
【請求項２】
第一部材と第二部材との間に弾性体を介在させ、第一部材と第二部材とをネジ部材により螺締してなる音響機器の制振材。
【発明の詳細な説明】
【０００１】
【発明の属する技術分野】
本発明は、音響機器の制振材に関するものである。
【０００２】
【従来の技術】
スピーカから発せられた音響がそのまま聴者に伝達されるのが望ましいが、共振の影響を受けて音質が悪くなる。共振防止のため種々な試みがなされているが、簡単な構成で確実に共振防止が行えるものが未だ存在しない。
【０００３】
【特許文献１】
特開平０７−２６６４９８号公報
【特許文献２】
特開平０６−２９５１８２号公報
【特許文献３】
特開平０６−２３７０８８号公報
【特許文献４】
特開平０５−３１３６７５号公報
【特許文献５】
特開平０５−３０９７９６号公報
【特許文献６】
特開平０５−００２３９８号公報
【０００４】
【発明が解決しようとする課題】
音響機器において、スピーカから発せられた音響が、簡単な構成で確実に、共振の影響を受けにくく、そのまま聴者に伝達されることが望まれている。
【０００５】
【課題を解決するための手段】
そこで、本発明は、音響機器において、スピーカから発せられた音響が、簡単な構成で確実に、共振の影響を受けにくく、そのまま聴者に伝達されるようにすべく、第一部材と第二部材とをネジ部材により螺締してなる音響機器の制振材とした。
【０００６】
また、本発明は、音響機器において、スピーカから発せられた音響が、簡単な構成で確実に、共振を減衰し、そのまま聴者に伝達されるようにすべく、第一部材と第二部材との間に弾性体を介在させ、第一部材と第二部材とをネジ部材により螺締してなる音響機器の制振材とした。
【０００７】
【発明の実施の形態】
本発明を添付する図面の具体的実施例に基づいて、以下詳細に説明する。
【０００８】
本発明の音響共振の防止として、
（１）螺締した二部材の当接面の歪みにより伝播される振動エネルギーを吸収させる
（２）二部材を螺締したネジ部材のネジ部により共振から伝播される振動エネルギーを吸収させる
（３）二部材間に弾性体を介在させてネジ部材で螺締し、弾性体により共振から伝播される振動エネルギーを吸収させる
が考えられる。
【０００９】
図１・図２は、金属板１と金属板２とを当接させビス３により螺締したものである。
【００１０】
図３・図４は、木材板４と木材板５とを当接させビス６により螺締したものである。
【００１１】
図５・図６は、金属板７と木材板８とを当接させビス９により螺締したものである。
【００１２】
上述のように、第一部材と第二部材とは同種の材質と異種の材質の場合がある。
【００１３】
上記ではネジ部材としてビスの例を示したが、六角穴付ボルト、六角ボルトの場合もあり、さらに、二部材間にネジ棒を貫通させ、その上下端にナットを螺着させる場合もある。
【００１４】
上記の例で、第一部材と第二部材とをネジ部材で螺締すると、第一部材と第二部材との当接面で、それぞれミクロンオーダーの歪みが生じる。この歪みにより伝播される振動エネルギーを吸収する。
【００１５】
また、第一部材と第二部材を螺締したネジ部材のネジ部により共振から伝播される振動エネルギーを吸収する。
【００１６】
図７・図８は、金属板１０と木材板１２との間にシリコン樹脂１２を接着し、ビス１３により螺締したものである。
【００１７】
上記では第一部材と第二部材とは異種の材質を使用した例であるが、同種の材質であってもよい。弾性体としてシリコン樹脂を例示したが、ゴム等を使用することができる。
【００１８】
上記の例で、第一部材と第二部材とをネジ部材で螺締すると、第一部材と第二部材との間の弾性体により共振から伝播される振動エネルギーを吸収する。
【００１９】
本発明の音響機器の具体的実施例について説明する。
【００２０】
図９は、ラックの支柱の例を示す。
【００２１】
ラックの支柱は、ネジ棒１４の下部に細径のネジ突出片１５を突出させ、下端を下向き円錐状に形成し、外周にネジ山１６を刻設した接地部３４を前記ネジ突出片１５に螺着する。ネジ棒１４の上端には凹部１７を設け、さらに上部に支柱を延ばす必要がある場合は凹部１７を利用して継ぎ足す。
【００２２】
この支柱の使用例が図９に示され、支柱はラックの金属板１８と木材板１９とよりなる枠部材２０を貫通させ、金属板１８下面および木材板１９上面にそれぞれシリコン樹脂２１・２２を接着させ、ナット２３・２４をネジ棒１４に螺着させて枠部材を締め込む。支柱はネジ棒１４と接地部１６とがネジ突出片１５で連結され、ネジ部が介在して共振を吸収する。また、枠部材２０の金属板１８と木材板１９との当接面にはミクロンオーダーの歪みがあり、さらに、金属板１８とナット２３との間、木材板１８とナット２４との間にはそれぞれシリコン樹脂２１・２３の弾性体が介在して共振を吸収する。
【００２３】
次に、シェル（ｓｈｅｌｌ）における共振の吸収について述べる。
【００２４】
図１０はシェルを図示する。断面Ｌ字状の樹脂板２５と金属板２６とは金属板２７にビス２８により螺締し、樹脂板２５と金属板２６にカートリッジ２９を取付ける。符号３０は針、符号３１は端子、符号３２は端子、符号３３は導線である。
【００２５】
樹脂板２５と金属板２６と金属板２７との当接面はミクロンオーダーの歪みがあり、また、樹脂板２５と金属板２６とは金属板２７を介してビス２８により螺締しており、ビス２８にはネジ部があり、共振を吸収する。
【００２６】
さらに、音響機器のケース、例えばアンプケースの基板の支持に、本発明の図１〜図８に示す制振材を介在させて使用する。この場合も、二部材の当接面の歪み、二部材を螺締したネジ部材のネジ部、二部材間の弾性体により共振を減衰する。
【００２７】
【発明の効果】
本発明は、上述のように、第一部材と第二部材とをネジ部材により螺締してなる音響機器の制振材であるので、音響機器において、スピーカから発せられた音響が、簡単な構成で確実に、共振を減衰し、そのまま聴者に伝達される。
【００２８】
また、本発明は、第一部材と第二部材との間に弾性体を介在させ、第一部材と第二部材とをネジ部材により螺締してなる音響機器の制振材であるので、音響機器において、スピーカから発せられた音響が、簡単な構成で確実に、共振を減衰し、そのまま聴者に伝達される。
【図面の簡単な説明】
【図１】本発明の音響機器の制振材の縦断面図である。
【図２】図１の平面図である。
【図３】本発明の音響機器の制振材の縦断面図である。
【図４】図３の平面図である。
【図５】本発明の音響機器の制振材の縦断面図である。
【図６】図５の平面図である。
【図７】本発明の音響機器の制振材の縦断面図である。
【図８】図７の平面図である。
【図９】本発明の支柱をラックに使用した例を示す縦断面図である。
【図１０】本発明の精神板をシェルに使用した例を示す縦断面図である。
【符号の説明】
１・７・１０…金属板（第一部材の例）
４…木材板（第一部材の例）
２…金属板（第二部材の例）
５・８・１１…木材板（第二部材の例）
３・６・９・１３…ビス（ネジ部材の例）
１２…シリコン樹脂（弾性体の例）
【図１】
2005045422.tif 000003
【図２】
2005045422.tif 000004
【図３】
2005045422.tif 000005
【図４】
2005045422.tif 000006
【図５】
2005045422.tif 000007
【図６】
2005045422.tif 000008
【図７】
2005045422.tif 000009
【図８】
2005045422.tif 000010
【図９】
2005045422.tif 000011
【図１０】
2005045422.tif 000012